(57)【要約】      （修正有）【課題】発光体による注意喚起効果を維持しつつ、提供できる情報量が飛躍的に増加された電光掲示板を提供する。【解決手段】補強ビーム７によって区分けされた上部分を文字情報表示部Ａとし、下部分を画像情報表示部Ｂとする。前記文字情報表示部Ａには、発光体２としてのＬＥＤの多数をマトリックス状に配置して形成したメイン表示部Ａ１と、このメイン表示部Ａ１の上部に設けられ、前記発光体２よりも若干大きなＬＥＤからなる発光体８を複数配置して形成したサブ表示部Ａ２とによって構成する。そして、前記メイン表示部Ａ１は、前記多数の発光体２を選択的に発光させることによって文字や記号等の文字情報を表示し、また、前記サブ表示部Ａ２は、前記メイン表示部Ａ１とは別に発光制御し、このメイン表示部Ａ１を引き立たせるための注意喚起領域とする。【選択図】図１
0003174560.tif 000002
【実用新案登録請求の範囲】
【請求項１】
多数の発光体からなり文字情報を表示する文字情報表示部と、画像情報が印刷されたフィルムが装着される画像情報表示部とを備えていることを特徴とする電光掲示板。
【請求項２】
前記文字情報表示部が、前記多数の発光体を選択的に発光させて、複数の異なる文字情報を切り換えて表示させる文字情報設定手段を備えていることを特徴とする請求項１に記載の電光掲示板。
【請求項３】
前記文字情報表示部が、前記文字情報の近傍において発光させられる注意喚起領域を備えていることを特徴とする請求項１又は請求項２に記載の電光掲示板。
【請求項４】
前記発光体がＬＥＤによって構成されていることを特徴とする請求項１ないし請求項３の何れかに記載の電光掲示板。
【請求項５】
前記画像情報表示部が、前記フィルムを裏面から照射するバックライトを備えていることを特徴とする請求項１ないし請求項４の何れかに記載の電光掲示板。
【請求項６】
前記バックライトがＬＥＤであることを特徴とする請求項５に記載の電光掲示板。
【考案の詳細な説明】
【技術分野】
【０００１】
本考案は、電光掲示板に係わり、特に、伝達情報の多様化を図ることの可能な電光掲示板に関するものである。
【背景技術】
【０００２】
一般に、店舗情報等の情報を伝達する手段として看板が多く用いられている。
この看板は、板や金属板あるいはテント地等に店舗名や取扱商品名等の文字や記号（以下、文字情報と称す）を描画して用いられている。
【０００３】
ところで、前述した看板にあっては、前述したように描画された文字情報によって情報の伝達を行なうものであるから、その情報伝達効果が通行人側に委ねられており、通行人が看板の存在に気付かなければ情報伝達することができない。
【０００４】
そこで従来では、多数の発光体を用い、これらの発光体を選択的に発光させて文字情報を表示することにより、視覚的効果によって通行人の注意を喚起するようにした電光掲示板が提案されている（特許文献１）。
【先行技術文献】
【特許文献】
【０００５】
【特許文献１】特開２００１−２０２０４５号公報
【考案の概要】
【考案が解決しようとする課題】
【０００６】
前述したように従来の技術では、光による視覚的効果によって通行人の意識を看板へ向けさせ、これによって、その看板に表示されている情報を認識させるようにしている。
【０００７】
これによって、一般的な看板に比して情報提供の効果を高めることができるようになったが、なお、つぎのような改善すべき問題点が残されている。
【０００８】
前述した従来の技術では、多数の発光体を用い、これらを選択的に発光させて伝達情報を形成するようにしているが、その情報量が前記発光体の数と密度に大きく左右されるという問題点である。
【０００９】
すなわち、伝達情報を増やすには、その表示領域を広くして設置可能な発光体の数を増やす必要があり、一方、前記表示領域に制限がある場合には、その領域に多くの発光体を設置して密度を高める必要がある。
【００１０】
いずれにしても、伝達情報を増加させるには、発光体の設置数の増加は避けられず、掲示板の製造コストの上昇を招いてしまう。
【００１１】
さらに、発光体によって形成できる情報の殆どは文字情報であり、提供できる情報が限られるという問題点もある。
【００１２】
本考案は、前述した従来の技術において残されている問題点に鑑みてなされたもので、発光体による注意喚起効果を維持しつつ、極力多くの情報を提供できる電光掲示板を提供することを課題とする。
【課題を解決するための手段】
【００１３】
本考案の請求項１に記載の電光掲示板は、多数の発光体からなり文字情報を表示する文字情報表示部と、画像情報が印刷されたフィルムが装着される画像情報表示部とを備えていることを特徴としている。
【００１４】
このような構成とすることにより、前記文字情報表示部において、多数の発光体を選択的に発光させて文字情報を形成して表示するとともに、画像情報表示部に装着したフィルムにより画像情報を表示することができる。
【００１５】
前記文字情報表示部の発光体が点灯されると、光による注意喚起効果で通行人の注意を電光掲示板に引きつけることができる。
【００１６】
そして、通行人の注意を電光掲示板に引きつけると、文字情報表示部に表示されている文字情報を認識させることができるが、これと同時に、併設されている画像情報表示部を通行人の視野に入れて、この画像情報表示部に表示されている画像情報を認識させることができる。
【００１７】
前記文字情報としては、一般的な文字に加えて記号や絵文字等を用いた店舗名や営業内容等の情報が表示され、前記画像情報としては前記文字や写真、イラスト等を用いた取扱商品の外観等の情報が表示される。
【００１８】
したがって、請求項１に記載の電光掲示板にあっては、文字情報と画像情報との情報をほぼ同時に通行人に提供することができる。
【００１９】
ここで、画像情報は文字情報により多量の情報量を含んでおり、文字情報のみの情報量に比して多くの情報を提供することができる。
【００２０】
また、多くの情報を組み込むことができる画像情報を用いることができることにより、文字情報表示部において表示する文字情報を、通行人の注意を引くための、最小限度でインパクトのある情報に集約してその情報量を少なくすることができる。
【００２１】
これによって、文字情報表示部を構成する発光体数を少なくして製造コストの高騰を抑制することができる。
【００２２】
本考案の請求項２に記載の電光掲示板は、請求項１に記載の前記文字情報表示部が、前記多数の発光体を選択的に発光させて、複数の異なる文字情報を切り換えて表示させる文字情報設定手段を備えていることを特徴としている。
【００２３】
このような構成とすることにより、単一の表示領域で複数の文字情報を表示することができ、限られた領域で、かつ、少ない発光体で表示できる情報量を増加させることができる。
【００２４】
本考案の請求項３に記載の電光掲示板は、請求項１に記載の前記文字情報表示部が、前記文字情報の近傍において発光させられる注意喚起領域を備えていることを特徴としている。
【００２５】
このような構成とすることにより、前記文字情報に他の発光パターンを加えることにより、文字情報表示部の表示パターンに変化を付けてその視認性や注意喚起効果を高めることができる。
【００２６】
本考案の請求項４に記載の電光掲示板は、請求項１ないし請求項３の何れかに記載の前記発光体がＬＥＤによって構成されていることを特徴としている。
【００２７】
このような構成とすることにより、消費電力を抑えてランニングコストの低減を図ることができる。
【００２８】
本考案の請求項５に記載の電光掲示板は、請求項１に記載の前記画像情報表示部が、前記フィルムを裏面から照射するバックライトを備えていることを特徴としている。
【００２９】
このような構成とすることにより、画像情報表示部の画像情報を明るく表示してその視認性を高めることができる。
【００３０】
そして、請求項６に記載のように、前記バックライトをＬＥＤによって構成することにより、ランニングコストの低減を図ることができる。
【考案の効果】
【００３１】
本考案の電光掲示板によれば、前述した構成とすることにより、発光体による注意喚起効果を維持しつつ、提供できる情報量が飛躍的に増加された電光掲示板を提供することができる。
【図面の簡単な説明】
【００３２】
【図１】本考案の一実施形態を示す正面図である。
【図２】本考案の一実施形態を示す側面図である。
【図３】本考案の一実施形態を示すもので、画像情報表示部に用いられるフィルムの一例を示す正面図である。
【図４】本考案の一実施形態を示すもので、使用状態を示す正面図である。
【考案を実施するための形態】
【００３３】
以下、本考案の一実施形態を図１ないし図３を参照して説明する。
図１および図２において符号１は、本実施形態に係わる電光掲示板を示し、この電光掲示板１は、多数の発光体２からなり文字情報を表示する文字情報表示部Ａと、画像情報が印刷されたフィルム３（図３参照）が装着される画像情報表示部Ｂとを備えた基本構成となっている。
【００３４】
さらに詳述すれば、前記電光掲示板１は、複数のキャスター４が取り付けられたベースプレート５と、このベースプレート５上に一体に立設された矩形状の支持枠６と、この支持枠６の内側を上下に２分するように取り付けられた補強ビーム７とを備えている。
【００３５】
そして、前記補強ビーム７によって区分けされた上部分が前記文字情報表示部Ａとなされ、下部分が前記画像情報表示部Ｂとなされている。
【００３６】
前記文字情報表示部Ａには、本実施形態においては、発光体２としてのＬＥＤの多数をマトリックス状に配置して形成したメイン表示部Ａ１と、このメイン表示部Ａ１の上部に設けられ、前記発光体２よりも若干大きなＬＥＤからなる発光体８を複数配置して形成したサブ表示部Ａ２とによって構成されている。
【００３７】
そして、前記メイン表示部Ａ１は、前記多数の発光体２を選択的に発光させることによって文字や記号等の文字情報を表示するようになっており、また、前記サブ表示部Ａ２は、前記メイン表示部Ａ１から独立して発光制御されて、このメイン表示部Ａ１を引き立たせるための注意喚起領域となされている。
【００３８】
前記画像情報表示部Ｂは、ガラス板やアクリル板等の透明若しくは半透明の光透過性の材料によって形成された保護板９が設けられ、この保護板９の表面に、前記フィルム３が止着されるようになっている。
【００３９】
また、前記画像情報表示部Ｂには、前記保護板９の裏面に対向するように、複数のバックライト１０が配置されており、これらのバックライト１０によって前記保護板９に止着される前記フィルム３をその裏面側から照射して、このフィルム３に描かれている画像情報を浮かび上がらせるようになっている。
【００４０】
前記バックライト１０および前述した発光体２・８は、消費電力を考慮してＬＥＤを用いることが好ましいが、白熱球や蛍光灯を用いることも可能である。
【００４１】
さらに、前記補強ビーム７には、前記発光体２・８およびバックライト１０の点灯を制御するコントロールユニット１１が取り付けられており、このコントロールユニット１１は、電源手段や、前記多数の発光体２を選択的に発光させて、複数の異なる文字情報を切り換えて表示させる文字情報設定手段（図示略）を備えている。
【００４２】
一方、本実施形態においては、前記画像情報表示部Ｂの両側部に、細長い第３の表示部１２が設けられている。
【００４３】
前記フィルム３は、本実施形態においては、図３に示すように、前記画像情報表示部Ｂに止着されるメインフィルム３ａと、前記両第３の表示部１２に止着されるサブフィルム３ｂとから構成されている。
【００４４】
前記メインフィルム３ａは、店舗の取扱商品の写真やイラスト等が印刷され、必要に応じて取り換えられるもので、前記サブフィルム３ｂは、店舗のキャッチフレーズ等、比較的取り換え頻度の低い情報が印刷されている。
【００４５】
このように構成された本実施形態の電光掲示板１は、前記画像情報表示部Ｂにメインフィルム３ａを止着し、また、第３の表示部１２にサブフィルム３ｂを止着するとともに、前記コントロールユニット１１において文字情報表示部Ａでの発光体２・８の発光形態を設定することによって使用状態となされる。
【００４６】
この使用状態の一例を図４に示す。
この例においては、提供すべきメインの情報として「新開店」を設定し、この情報を文字情報として前記メイン表示部Ａ１において表示し、具体的な取扱商品を「焼き鳥」として、その写真若しくはイラストを画像情報として画像情報表示部Ｂに止着したフィルム３ａによって表示している。
【００４７】
前記メインの情報は、通行人に最低限の情報を与えて注意を引きつけるだけでよいから、少ない情報量で目立つように表示される。
また、サブ表示部Ａ２の点灯によってさらにその注意喚起効果が得られ、通行人の興味を引きつけることができる。
【００４８】
このように、第１目標である通行人の注意喚起を行なうと、通行人は必然的に画像情報表示部Ｂを視野に入れることになるが、この画像情報表示部Ｂには、取扱商品が写真やイラストによって表示されていることにより、一目でその内容が把握される。
【００４９】
しかも、前記画像情報には、多くの情報を盛り込むことができるので、この多くの情報量を通行人に提供することができる。
【００５０】
また、前記画像情報に関し、これらの画像情報が記されたメインフィルム３ａをその裏面からバックライト１０によって照射することにより、前記画像情報を浮き上がらせて鮮明なものとすることができるので、通行人への効果的な印象付けが期待できる。
【００５１】
なお、前記実施形態において示した各構成部材の諸形状や寸法等、あるいは、各表示部における表示内容や表示形態については一例であって、設置場所や取扱商品等にあわせて種々変更可能である。
【００５２】
たとえば、前記支持枠６の形状は矩形状に限らず任意に変更可能であり、また、文字情報表示部Ａにおける文字情報を、単一の文字情報だけでなく、たとえば、複数種類用意しておき、これらを交互に表示したり、順次送り込むことによって連続的に表示したりすることも可能である。
【符号の説明】
【００５３】
１  電光掲示板
２  発光体
３  フィルム
３ａ  メインフィルム
３ｂ  サブフィルム
４  キャスター
５  ベースプレート
６  支持枠
７  補強ビーム
８  発光体
９  保護板
１０  バックライト
１１  コントロールユニット
１２  第３の表示部
Ａ  文字情報表示部
Ａ１  メイン表示部
Ａ２  サブ表示部（注意喚起領域）
Ｂ  画像情報表示部
【図１】
0003174560.tif 000003
【図２】
0003174560.tif 000004
【図３】
0003174560.tif 000005
【図４】
0003174560.tif 000006